Podtech/llm-jp-corpus-v4-ja_patent huggingface dataset:
(57)【要約】      （修正有）【課題】圃場使用済みマルチフイルムを刃物で切断することなく巻き取ることができる圃場使用済みマルチフイルム巻き取り装置を提供する。【解決手段】圃場の使用済みマルチフイルムを食み出し防止輪に潜らせ、噛み合い左右円錐ドラムに巻き付け回収する。回収したマルチフイルムは油圧ホイストで円錐右ドラムを移動させ、噛み合い左右クラッチ部を開口、左右円錐ドラムの角度並びに回収マルチフイルムの自重で容易に離脱させる。【選択図】図１
0003152001.tif 000002
【実用新案登録請求の範囲】
【請求項１】
栽培圃場の使用済みマルチフイルムを食み出し防止輪を潜り、噛み合い左右円錐ドラムに巻きつけ回収。マルチフイルムの離脱は円錐右ドラムを油圧ホイストにより、噛み合いクラッチ部を開口し、左右円錐ドラムの角度を利用しマルチフイルムの自重により一瞬に脱落させるものである。
【考案の詳細な説明】
【技術分野】
【０００１】      圃場で使用済みマルチフイルムはトラクター動力を利用して食み出し防止輪を潜り噛み合いクラッチ左右ドラムに巻きつけに関する。
【背景技術】
【０００２】      従来、圃場の使用済みマルチフイルムの回収処理作業は人手による重労働であった。トラクターで圃場使用済みマルチフイルムを引っ張ったとしても次々と切断し処理しなければならなかった。【０００３】      圃場の使用済みマルチフイルムを未回収のまま長期間放置すると、マルチフイルムが日焼け破損し圃場に散乱し土壌に混ざり土壌汚染のもとになる。マルチフイルムの丈夫なうちに回収できればリサイクルで再利用できる。
【考案の開示】
【考案が解決しようとする課題】
【０００４】      上述の如く圃場使用済みマルチフイルムは長いもので１８０ｍにもおよび、フイルムの両側に風予防の土押えがされており、フイルムの除去には人手間と重労働が要求されることは、マルチフイルム栽培の大きな課題である。【０００５】      従来の除去方法では少量ずつ刃物で切断し処理するしか方法がなかった。【０００６】      圃場の使用済みマルチフイルムの回収処理作業を人手に頼らず、トラクターの動力で短時間に一括回収しょうとするものである。
【課題を解決するための手段】
【０００７】      上述の目的を達成する本考案の圃場の使用済みマルチフイルム巻き取り装置は、噛み合いクラッチ左右ドラムに巻きつけることを特徴とする。【０００８】      圃場の使用済みマルチフイルムは均一な状態でなく、フイルムの両側に土止めがあり、トラクターの動力の強弱によりフイルムの巻き付きにむらができ、ドラムツバを食み出してマルチフイルムが期待通りに巻きつかないことが生ずることがある。【０００９】      圃場から使用済みマルチフイルムを巻き取るとき、両ドラムツバからマルチフイルムが食み出さないよう、食み出し防止輪にマルチフイルムを潜らして噛み合いクラッチ左右ドラムに巻きつけることを特徴とする。
【考案の効果】
【００１０】      以上説明したように本考案によれば、圃場使用済みマルチフイルムを一人でトラクターの駆動により噛み合いクラッチ左右ドラムに巻き刃物で切断することなく巻き取ることがでる。【００１１】      噛み合いクラッチ左右ドラムに巻き付けたマルチフイルムを取り外す時は、油圧ホイストにより一方のドラムを広げ開口すると、マルチフイルムの自重とドラムの角度により一瞬に脱落する効果抜群である。
【考案を実施するための最良の形態】
【００１２】      以下、本考案の実施の形態を図面に基づき詳細に説明する。【００１３】      図１〜図２は本考案の第一の実施の形態に係り、図１はその外観斜視図、図２はその中央部の噛み合いクラッチ右ドラムを油圧ホイストで噛み合いドラム部を開口した図である。【００１４】      図１に示すように、１円錐左ドラム、２円錐右ドラムの頂部、３噛み合いクラッチ左右ドラムで構成したものである。【００１５】      図１の６手動油圧モーターで１噛み合いクラッチ円錐左ドラムを駆動、中央３噛み合いクラッチによる左右ドラムを同時に駆動させ圃場使用済みマルチフイルムをドラムに巻きつける。【００１６】      図１、７圃場使用済みマルチフイルム食み出し防止輪を取り付けた。【００１７】      ７食み出し防止輪の中を圃場使用済みマルチフイルムが潜って、１・２ドラムに巻き付く、３左右ドラム噛み合いクラッチ部により多く巻き付くように考案した。【００１８】      圃場の長さ１８０ｍの三畝使用済みマルチフイルムを一度に纏めて回収できる優れものである。【００１９】      図１の１・２噛み合いクラッチ左右円錐ドラムに使用済みマルチフイルム巻き取り終了したマルチフイルムを取り外す。【００２０】      図２、の３噛み合いクラッチ左右ドラムを５油圧ホイストで２円錐右ドラムを開口する、左右ドラムに巻き付いたマルチフイルムは開口から、マルチフイルムの自重と１，２円錐ドラムの角度により一瞬に脱落する。【００２１】      噛み合いクラッチ左右ドラムは円錐の他、角錐、板錐などがある。
【産業上の利用可能性】
【００２２】      本考案は畑作・野菜栽培に関わらず促成・半促成栽培でマルチフイルムを使用後の回収する全ての分野で利用することが出来る。
【図面の簡単な説明】
【００２３】
【図１】      本考案の第一実施の形態に係る圃場使用済みマルチフイルム巻き取り装置の外観斜視図。
【図２】      図１の圃場使用済みマルチフイルム巻き取り装置３左右ドラム噛み合いクラッチ部の開口図。
【符号の説明】
【００２４】１    円錐左ドラム
２    円錐右ドラム
３    左右ドラム噛み合いクラッチ
４    シャフト
５    油圧ホイスト
６    手動油圧モーター
７    マルチフイルム食み出し防止輪
８    ホイスト
９    ドラムツバ
１０  トラクターＰＴＯ
１１  マルチフイルム巻き取り装置取り付け台
【図１】
0003152001.tif 000003
【図２】
0003152001.tif 000004
【手続補正書】
【提出日】平成21年4月20日(2009.4.20)
【手続補正１】
【補正対象書類名】実用新案登録請求の範囲
【補正対象項目名】全文
【補正方法】変更
【補正の内容】
【実用新案登録請求の範囲】
【請求項１】
圃場の使用済みマルチフイルムを食み出し防止輪を潜らせ、噛み合い左右円錐ドラムに巻き付け回収、回収したマルチフイルムの離脱は油圧ホイストで円錐右ドラムを移動させ、噛み合い左右クラッチ部を開口、左右円錐ドラムの角度並びに回収マルチフイルムの自重で容易に離脱させる、圃場使用済みマルチフイルム巻き取り装置である。
(57)【要約】      （修正有）【課題】通常のボールの速度では、球技を楽しめない人でも楽しむことができる、落下速度が遅く遠くに飛ばない球技用ボールを提供する。【解決手段】ボールのゴム等の表面部を軽くし、空気より軽い気体を入れることにより、通常の球技用ボールに似た形状で軽く落下速度の遅いボールが可能となった。速い速度に対応できない子供なども楽しむことができ、サッカーの足だけでボールを落とさず蹴り続けるリフティングの練習も軽い気体の量を変えることで落下速度を変え、徐々に早く練習することもできる。【選択図】図１
0003152040.tif 000002
【実用新案登録請求の範囲】
【請求項１】
ボールのゴム等の表面部を軽くし、空気より軽い気体を入れることにより落下速度を遅くした球技用ボール。
【考案の詳細な説明】
【技術分野】
【０００１】  本考案は、空気より軽い気体を入れることにより落下速度を遅くした球技用ボールに関するものである。
【背景技術】
【０００２】  従来、風船やビーチボール等の落下速度の遅いものはあったが、球技用ボールの形状や外観で落下速度を遅くしたものはなかった。
【考案の開示】
【考案が解決しようとする課題】
【０００３】  通常の球技の速度より遅く、また、遠くに飛ばなくても楽しめるように球技用ボールの大きさや同じような形状で少し落下速度を遅くしようとするものである。
【課題を解決するための手段】
【０００４】  本考案は、ボールのゴム等の表面部を軽くし、空気より軽い気体を入れることにより通常の球技用ボールの形状で軽く落下速度の遅いボールが可能となり問題を解決している。
【考案の効果】
【０００５】  本考案はこのような構成であるから、速い速度に対応できない子供なども楽しむことができ、幼児とテニスや卓球、野球等も可能になる。サッカーの足だけでボールを落とさず蹴り続けるリフティングの練習も軽い気体の量を変えることで落下速度を変え、徐々に速く練習することもできる。また、通常のボールの外観でゆっくりとした速度になるため、自分が速くなったような感覚を楽しむことができる。
【考案を実施するための最良の形態】
【０００６】  通常の球技用ボールに似た形状でボールのゴム等の表面部を軽くし、空気と空気より軽い気体を入れる割合を変えることにより落下速度を変化させることができる球技用ボールが可能となっている。また、その軽い気体を入れることが可能な空気入れと同じ挿入口を設けたガス容器の組み合わせにより、その軽い気体の補充が可能となる。
【実施例】
【０００７】  以下、添付図面に従って一実施例を説明する。１はボール本体、２はボールの空気注入口、３はガス容器、４は空気入れと同じ挿入口で、１のボール本体の中の軽い気体が減少した場合に４の挿入口を２のボールの空気注入口に入れて３のガス容器の中の軽い気体を補充する。
【図面の簡単な説明】
【０００８】
【図１】本考案の軽量ボールの一実施例を示した平面図である。
【図２】本考案の軽量ボール用気体のガス容器の一実施例を示した平面図である。
【符号の説明】
【０００９】１ボール本体
２ボールの空気注入口
３ガス容器
４空気入れと同じ挿入口
【図１】
0003152040.tif 000003
【図２】
0003152040.tif 000004
(57)【要約】      （修正有）【課題】脚付きマットレスやベッドフレームであって、ヘッドボードやフットボードを有していない寝具を、手間を要することなくヘッドテーブルやヘッドボード，フットボード付き寝具とすることができるヘッドテーブルを提供する。【解決手段】ヘッドテーブル４は板状体よりなる本体５の頂部にテーブル状に棚板６を置き整理台とする。本体５の一側には本体側面から突出させた寝具受台７を設ける。寝具受台７は脚板８によってその高さを決める。寝具受台７表面の、床面からの高さは脚付マットレス１の脚３の高さと一致させる。脚付マットレス１にヘッドテーブル４を取り付けるにはヘッドテーブル４の寝具受台７に、マットレス１の長さ方向の端縁部９を乗せることによって両者は一体化し、マットレス１はヘッドテーブル４を有するものの如く見える。【選択図】図１
0003152093.tif 000002
【実用新案登録請求の範囲】
【請求項１】
ヘッドテーブル本体側面に、本体側面から突出して寝具受台を設けてなり、該寝具受台上に、脚付きの寝具保持部材の側縁部を載置可能としたことを特徴とするヘッドテーブル。
【考案の詳細な説明】
【技術分野】
【０００１】
本考案は、ヘッドテーブル，ヘッドボード等を有しない脚付きマットレス等に組み合わせて、ヘッドテーブル，ヘッドボード付ベッドの如く使用することを可能にしたヘッドテーブルに関する。
【背景技術】
【０００２】
マットレスは敷寝具としてベッドに使用されるが、マットレスの支持部材は、通常ベッドフレームとして就寝者の頭部側，足部側にそれぞれヘッドボード，フットボード，ヘッドテーブル等が備えられ寝具としての使用環境を整えているが、ベッドフレームにヘッドテーブル或はフットボード等を取り付けるにはヘッドボード或はフットボード等をベッドフレームに螺子止めするなどの作業を要し、その取り付け取り外しも、短時間で簡単に行えるようなものではなかった（特許文献１）。
【先行技術文献】
【特許文献】
【０００３】
【特許文献１】特開２００５−６５８５４号公報
【考案の概要】
【考案が解決しようとする課題】
【０００４】
本考案は上記の点に鑑みて、脚付きマットレスやベッドフレームであって、ヘッドボードやフットボードを有していない寝具を、手間を要することなくヘッドテーブルやヘッドボード，フットボード付き寝具とすることを目的とする。
尚、上記ヘッドテーブル，ヘッドボード，フットボードのそれぞれについて説示するのは煩雑すぎるので以下それらを総括してヘッドテーブルと称する。
【課題を解決するための手段】
【０００５】
本考案ヘッドテーブルは、ヘッドテーブル本体側面に、本体側面から突出して寝具受台を設けてなり、該寝具受台上に、脚付きの寝具保持部材の側縁部を載置可能とした。
【考案の効果】
【０００６】
本考案ヘッドテーブルは、本来ヘッドテーブルを使用していない脚付マットレスや、ベッドフレームなどを用いた寝具を使用している場合に、その寝具をヘッドテーブル付の寝具と同様の全体形状に変化させ得ることが可能であるばかりでなく、ヘッドテーブル無しの状態からこれらを備えた構成に変化させる際も、ヘッドテーブル本体側面に突出して設けた寝具受台上に、脚付の寝具保持部材の側縁部を載置させることによって目的を達するから、その作業は極めて短時間に簡便に行うことが出来る。
【０００７】
ヘッドテーブルとマットレス等の寝具を一体化する際は単にヘッドテーブル本体の寝具受台にマットレスの縁部を乗せただけで良いから、通常のマットレスとヘッドテーブルの位置関係を示す図３Ａの形態ではなく図３Ｂに示すようなマットレスの横側にヘッドテーブルを位置させるようなサイドボード的な配置とすることも可能でレイアウトを自由に選択することが出来る。
【図面の簡単な説明】
【０００８】
【図１】マットレスと、マットレスに取り付けるヘッドテーブルとの斜視図。
【図２】脚付きマットレスの裏面図。
【図３】マットレスとヘッドテーブルとを組み合わせた状態を示す斜視図で、Ａはマットレスの短辺と、Ｂは同長辺と、それぞれ組み合わせた状態の斜視図。
【考案を実施するための形態】
【０００９】
本考案を実施するための形態を図面と共に次に説明する。
図１に示す１はマットレスで脚３を有し、コイル状スプリング等を内装し表側地でそれを囲ってなる敷寝具であって、裏面２に適宜数の脚３（図示の例では６本）が設けてある。脚３は適宜長さを有しマットレス１の通常の使用時に床面とマットレス裏面２との間に空間を形成している。尚、マットレス１は、特に脚３を用いなければならないと云うことはなく、脚３を使用せずベッドフレーム（図示せず）で支持されたものであっても差し支えない。
【００１０】
図示したヘッドテーブル４は板状体よりなる本体５の頂部にテーブル状に棚板６を置き整理台としている。本体５の一側には本体側面から突出させた寝具受台７を設けている。寝具受台７は脚板８，８によってその高さを決められている。寝具受台７表面の、床面からの高さは脚付マットレス１の脚３の高さと一致させている。
【００１１】
脚付マットレス１にヘッドテーブル４を取り付けるにはヘッドテーブル４の寝具受台７に、マットレス１の長さ方向の端縁部９を乗せることによって両者は一体化し、図３Ａに示す如くマットレス１はヘッドテーブル４を有するものの如く見える。
【００１２】
ヘッドテーブル４とマットレス１の結合は、マットレス１の裏面２の縁部が寝具受台７に乗ればよいので、その状態が保たれる位置であれば図３Ｂに示す如くマットレス１の側部であっても差し支えなく、特にその位置が制限されることはない。
【００１３】
そして、両者の結合は単にヘッドテーブル４の寝具受台７にマットレス１の縁部を乗せるだけで、特に螺子などを使用するものではないから、その作業は全く簡単で技術を要するもではなく、極めて容易に時間を要せずに行える。
【００１４】
上記の説明は脚付マットレスについて行ったが、ベッドフレームを寝具受台７に乗せることでも良いが、この場合はベッドフレームを、所定の脚板８の高さに応じた高さに保つ必要がある。
【符号の説明】
【００１５】
１  マットレス
２  裏面
３  脚
４  ヘッドテーブル
５  本体
６  棚板
７  寝具受台
８  脚板
９  長さ方向の端縁部
【図１】
0003152093.tif 000003
【図２】
0003152093.tif 000004
【図３】
0003152093.tif 000005
(57)【要約】      （修正有）【課題】装着簡単でフィット感や手触りが良く、装着後もカバーのぐらつきやズレ落ちを防止し、個性的な傘の柄カバーを提供する。【解決手段】傘の柄カバー１は、合成ゴムの片面又は両面に布地を貼り合せ、中空筒状の袋体に形成し、該袋体の開口部は、口の大きさが絞れるように紐通部分３を設けて紐４を通し、該紐４には、縛った紐が緩んで口が開かないようコードストッパー５を付けておく。また、必要に応じて該袋体に傘のシャフトに巻きつけてボタン留めできるベルトを設ける。【選択図】図１
0003152076.tif 000002
【実用新案登録請求の範囲】
【請求項１】
傘の柄カバーであって、合成ゴムの片面又は両面に布地を貼り合せ、中空筒状の袋体に形成したことを特徴とする傘の柄カバー。
【請求項２】
請求項１に記載の傘の柄カバーにおいて、袋体の開口部は、口の大きさが絞れるように紐通部分を設けて紐を通し、該紐には、縛った紐が緩んで口が開かないようコードストッパーを付けていることを特徴とする傘の柄カバー。
【請求項３】
請求項１または請求項２に記載の傘の柄カバーにおいて、袋体には、傘のシャフトに巻きつけてボタン留めできるベルトを設けていることを特徴とする傘の柄カバー。
【考案の詳細な説明】
【技術分野】
【０００１】
本考案は、傘の柄カバーに関するものである。
【背景技術】
【０００２】
従来、傘のカバーに関するものとして、ゴム製やスポンジ製または布製のカバーが考案されている。
【０００３】
そして、布製のカバーにおいては、該カバー本体に人形やボンボリを取り付けて市販の傘を個性化する手段が取られている。
【特許文献１】実開平６−８４９１２号
【特許文献２】実用新案登録第３０９７３１３号
【考案の開示】
【考案が解決しようとする課題】
【０００４】
しかしながら、ゴム製やスポンジ製のカバーは、傘の柄に装着しにくく、たとえ装着してもフィット感や手触りが悪く、多くの改良の余地があった。
【０００５】
また、布製のカバーにおいては、あくまで個性化の為の手段であり、機能的に優れた工夫も無かった。
【０００６】
本考案は、上記問題を解決するため成されたもので、装着簡単でフィット感や手触りが良く、装着後もカバーのぐらつきやズレ落ちを防止し、個性的な傘の柄カバーを提供する。
【課題を解決するための手段】
【０００７】
請求項１に記載の考案は、傘の柄カバーであって、合成ゴムの片面又は両面に布地を貼り合せ、中空筒状の袋体に形成したことを特徴とする。
【０００８】
請求項２に記載の考案は、請求項１に記載の傘の柄カバーにおいて、袋体の開口部は、口の大きさが絞れるように紐通部分を設けて紐を通し、該紐には、縛った紐が緩んで口が開かないようコードストッパーを付けていることを特徴とする。
【０００９】
請求項３に記載の考案は、請求項１または請求項２に記載の傘の柄カバーにおいて、袋体には、傘のシャフトに巻きつけてボタン留めできるベルトを設けていることを特徴とする。
【考案の効果】
【００１０】
請求項１に記載の考案によれば、従来のカバーよりフィット感が増し、また装着も簡単に出来る。
【００１１】
請求項２に記載の考案によれば、一端絞った紐が緩まないように固定出来、袋体のぐらつきを防止出来る。
【００１２】
請求項３に記載の考案によれば、袋体のズレおよび抜け落ちを防止出来る。
【考案を実施するための最良の形態】
【００１３】
本考案の傘の柄カバーは、合成ゴムの片面又は両面に布地を貼り合せ、中空筒状の袋体に形成し、該袋体の開口部は、口の大きさが絞れるように紐通部分を設けて紐を通し、該紐には、縛った紐が緩んで口が開かないようコードストッパーを付けておく。
【００１４】
また、必要に応じて該袋体に傘のシャフトに巻きつけてボタン留めできるベルトを設ける。
【実施例】
【００１５】
以下、図面を参照して本考案に係る傘の柄カバーの実施例を説明する。
図１及び図２は、本考案の傘の柄カバー１であり、図３のように合成ゴム１１の片面又は両面に布地１２を貼り合せ、中空筒状の袋体に形成したものである。
【００１６】
ここで、合成ゴムは、ポリウレタンゴム、ウレタンゴム、クロロプレンゴム等が望ましく、布地の素材は、綿繊維、レーヨン繊維、ポリエステル繊維、ポリアミド繊維、アラミド繊維等が望ましい。
【００１７】
更に、表面の布地に図柄をプリントすれば、オリジナルの傘の柄カバー作成が可能である。
【００１８】
また、本考案の傘の柄カバーは棒状の袋体であるが、該カバーの伸縮性や弾性により、柄の部分がＪ字型でもＩ字型でも自由自在に装着可能となり、開口部２よりＪ字型の柄に装着した使用例が図４である。
【００１９】
そして、該袋体の開口部２に、縫い代を折り返して紐通しの穴道である紐通部分３を作って紐４を通し、傘の柄カバー１を装着した際、該紐４で縛り、一度縛った紐４が緩まないように図５のようにコードストッパー５で固定する。
【００２０】
ここで、コードストッパーとは、図６のようにバネ１０を内臓した小さな紐止めで、ヒモの長さを調節したり、固定可能なもので市販されているものを用いても良い。
【００２１】
更に、必要に応じて、ベルト６の両端にスナップボタン７を付け、その片端を傘の柄カバーの開口部付近に取り付けておく。
【００２２】
上記のスナップボタン付きベルト８は、傘の柄に装着した時、図７のように傘のシャフト９の部分に巻きつけて使用することで、抜け落ち防止にもなる。
【００２３】
このように、好ましい実施例を挙げて本考案を説明したが、本考案はその実施例に限定されるものではなく、本考案の要旨の範囲内で種々に改変できる。
【図面の簡単な説明】
【００２４】
【図１】本考案に係る傘の柄カバーの図である。
【図２】本考案に係る傘の柄カバーの断面図である。
【図３】本考案に係る傘の柄カバーの断面図である。
【図４】本考案に係る傘の柄カバーをＪ字型の柄に装着した使用例を示す図である。
【図５】本考案に係る傘の柄カバーにコードストッパーを付けた図である。
【図６】コードストッパーを示した図である。
【図７】本考案に係る傘の柄カバーに紐スナップボタン付きベルトを付けた図である。
【符号の説明】
【００２５】
１  傘の柄カバー
２  開口部
３  紐通部分
４  紐
５  コードストッパー
６  ベルト
７  スナップボタン
８  スナップボタン付きベルト
９  シャフト
１０  バネ
１１  合成ゴム
１２  布地
【図１】
0003152076.tif 000003
【図２】
0003152076.tif 000004
【図３】
0003152076.tif 000005
【図４】
0003152076.tif 000006
【図５】
0003152076.tif 000007
【図６】
0003152076.tif 000008
【図７】
0003152076.tif 000009
(57)【要約】      （修正有）【課題】テープ切断後の粘着テープ切り口の逆戻りを防ぎ、作業性もよくかつ安全性があり、携帯用としても便利なテープカッターを提供する。【解決手段】テープカッターは、粘着テープを切断できる刃を形成した切断部と指輪形状した保持部とを合体させたものであって、親指に嵌めることができ、指輪形式に配設されているものである。  【選択図】図１
0003152059.tif 000002
【実用新案登録請求の範囲】
【請求項１】
粘着テープを切断できる刃を形成した切断部２０と、指輪形状の保持部１０とで構成したことを特徴とする指輪型テープカッター。
【請求項２】
切断部２０に接着部２２を設けたことを特徴とする請求項１に記載の指輪型テープカッター。    
【考案の詳細な説明】
【技術分野】
【０００１】
本考案は、粘着テープのロールから引き出された粘着テープの端部を切断するテープカッターに関する。
【背景技術】
【０００２】
従来より、例えば、粘着テープのロール環に、付着して使用するテープカッターとしては、鋸歯状金具の切断刃つきが知られている。
【０００３】
しかし、このテープカッターでは、粘着テープを切断する刃が外側に突き出しているので、安全性に不安があった。また、粘着テープ切断後、ロール側の粘着テープ端末がロール面上に逆戻りして張り付く事があり、粘着テープの端末を引き出すのに苦労を要している。
【０００４】
そこで、これらの問題を解決するため粘着テープ環から引き出され粘着テープを２面で挟むテープカッターが提案されている。（例えば、特許文献１参照）。
【先行技術文献】
【特許文献】
【０００５】
【特許文献１】特開２００２−３２６７６０号公報
【考案の概要】
【考案が解決しようとする課題】
【０００６】
しかしながら、特許文献１に記載するテープカッターでは、製作の際、材質の面で条件があり、また、粘着テープを引き出す際と切断する際に、開閉の動作もしいられている。
【０００７】
本考案はこのような問題に基づきなされたものであり、テープ切断後の粘着テープ切り口の逆戻りを防ぎ、作業性もよくかつ安全性があり、携帯用としても便利なテープカッターを提供することを目的とする。
【課題を解決するための手段】
【０００８】
本考案のテープカッターは、粘着テープを切断できる刃を形成した切断部と指輪形状した保持部とを合体させたものであって、親指に嵌めることができ、指輪形式に配設されているものである。
【考案の効果】
【０００９】
本考案のテープカッターによれば、親指に嵌めて切断するので、あたかも自分の親指の爪で切断している感覚にとらわれ、自然の動作でテープの切断ができ、作業性が大幅に向上する。また、指に装着した際の刃の向きが外側になるため、刃による指の怪我等の事故防止にもつながる。刃を樹脂製にした場合は、更に安全性が向上する。
【００１０】
テープ切断後のロール環の粘着側端部とテープカッターの接着部を付着させることによって、粘着テープ切り口の逆戻りを防ぐことができる。
【図面の簡単な説明】
【００１１】
【図１】本考案の一例の斜視図である。
【図２】図１に示したテープカッターの動作を表す図である。
【図３】図２の後のテープカッター後を表す図である。
【図４】図３の後、テープ逆戻り防止用の動作直前を表す図である。
【図５】図４に続き、ロール環と一体となり、使用後を表す図である。
【図６】本考案の紙テープ用の斜視図である。
【考案を実施するための形態】
【００１２】
以下、本考案の実施の形態について、図面を参照して詳細に説明する。
【００１３】
図１は本考案の斜視図を表すものである。テープカッター１は親指が入る保持部１０と粘着テープＭ１を切断する切断部２０とが合体して構成されたテープカッターで切断部２０には端部に刃２１を有しており、また、テープ切断粘端部Ｍ３を付着させるべく接着部２２が形成されている。
【００１４】
図２は本考案の動作を表すものである。親指にテープカッター１の保持部１０をしっかり嵌め、この時、刃２１は爪の上にくるようにし、人差し指と中指でロール環Ｍ２をはさみ、テープカッター１をはめた親指はロール環Ｍ２と平行に引き出されるテープの非粘着部側に添える。この時、刃２１の位置はロールＭ２表面上より離しておき、その距離は８ｍｍから１２ｍｍ位が望ましい。片方の指で粘着テープＭ１をロールＭ２から必要な長さに引き出し、非粘着側を刃２１に接触させ、斜め上に引き、テープを切断する。
【００１５】
図３はテープ切断直後を表わした図である。ロールＭ２表面から刃２１で切断までのテープＭ３は立ち上がったままである。次に、図４に表すようにロールＭ２とテープカッター１を移動させ、テープＭ３の粘着部とテープカッター１の接着部２２とを付着させテープＭ３を折り返す。よって、テープの逆戻りを防ぐことができる。後は片方の指で切断部２０を押さえ、テープカッター１から親指を抜く。
【００１６】
図５は本考案の一連の動作を終え、待機状態を表す図である。始まりは、テープカッター１を    親指に嵌め、ロールＭ２を手に持ち、水平に引き離す。ここから、テープＭ３を摘み、スムーズ    に一連の動作に入ることができる。
【００１７】
図６は巾の広いテープで利用する場合に、切断幅を長く構成して、カッター作業時の安定性とロール環と一体に保持できるよう、取り外し可能なバンドを備えた一例の斜視図である。本図のものは、テープＭ３の折り返し動作を必要としない。
【産業上の利用可能性】
【００１８】
本考案の指輪型テープカッターは工業生産が可能で、供給者による生産販売が可能である。
【符号の説明】
【００１９】
１…テープカッター、１０…保持部、２０…切断部、２１…刃、２２…接着部、Ｍ１…粘着テー    プ、Ｍ２…ロール、Ｍ３…粘着側折返し部
【図１】
0003152059.tif 000003
【図２】
0003152059.tif 000004
【図３】
0003152059.tif 000005
【図４】
0003152059.tif 000006
【図５】
0003152059.tif 000007
【図６】
0003152059.tif 000008
(57)【要約】      （修正有）【課題】フォークとスプーンを用い、夫々の用途のほかにこれを組み合わせて挟む、潰すの機能を有する組み合わせ食事用具を提供する。【解決手段】フォークとスプーンの柄部の後端を着脱自在に結合し、挟み具状や潰し具状に組み合わせて使用する食事用具であって、該フォーク１０及び該スプーン２０は夫々柄部の一部に弾力性を持たせたものからなり、該フォーク１０は柄部１Ａの後端１Ｂの表裏両面を平行とし、該表裏両面に垂直な矩形状の貫通孔１Ｃを有するフォーク１０と、該スプーン２０は柄部の後端がスプーンの掬い面に対してＶ字形をなし、該後端が前記フォークの貫通孔１Ｃに嵌通する四角柱２Ｂと該四角柱２Ｂの表裏面に対して上下に狭く前記フォーク１０の貫通幅より長い四角柱からなるスプーン２０とする。【選択図】図４
0003152055.tif 000002
【実用新案登録請求の範囲】
【請求項１】
フォークとスプーンの柄部の後端を着脱自在に結合し、挟み具状や潰し具状に組み合わせて使用する食事用具であって、該フォーク及び該スプーンは夫々柄部の一部に弾力性を持たせたものからなり、該フォークは柄部の後端の表裏両面を平行とし、該表裏両面に垂直な矩形状の貫通孔を有するフォークと、該スプーンは柄部の後端がスプーンの掬い面に対してＶ字形をなし、該後端が前記フォークの貫通孔に嵌通する四角柱と該四角柱の表裏面に対して上下に狭く前記フォークの貫通幅より長い四角柱からなるスプーンとしたことを特徴とする組み合わせ食事用具。
【請求項２】
前記フォークと前記スプーンを結合し、挟み具状や潰し具状に組み合わせて押圧したとき、挟み及び潰す機能が最も適するよう、フォークの柄部の表裏両面とスプーンの柄部の裏面に突起群又は凹部を設けることを特徴とする請求項１記載の組み合わせ食事用具。
【考案の詳細な説明】
【技術分野】
【０００１】本考案は、家庭や外食したときフォークやスプーンを利用することが多いが、この二つを結合して挟む及び潰す機能を備えた食事用具に関するものである。
【背景技術】
【０００２】スパゲッティを挟んだり、苺を潰したりするとき困ることがある。
【考案の概要】
【考案が解決しようとする課題】
【０００３】本案は、このような実状に鑑み考案したもので、フォークとスプーンのみを用いて夫々の用途に供するほか、それらを結合して食物を挟む、潰すという機能を容易に達成することができる食事用具を提供することを目的とする。
【課題を解決するための手段】
【０００４】フォークとスプーンの柄部の後端を着脱自在に結合し、挟み具状及び潰し具状に組み合わせて使用する食事用具であって、該フォーク１０及び該スプーン２０は夫々柄部の一部に弾力性を持たせたものからなり、該フォーク１０は、柄部１Ａの後端１Ｂの表裏両面を平行とし、該表裏両面に垂直な矩形状の貫通孔１Ｃを有するものからなり、前記スプーン２０は、柄部２Ａの後端が該スプーン２０の掬い面に対してＶ字形をなし、該後端は前記フォーク１０の貫通孔１Ｃに嵌通する四角柱２Ｂと該四角柱２Ｂの表裏面に対して上下に狭く前記フォーク１０の貫通幅より長い四角柱２Ｃからなるスプーンとした。【０００５】前記フォーク１０と前記スプーン２０を結合し、挟み具状や潰し具状に組み合わせて該フォーク１０の柄部と該スプーン２０の柄部の異なる部位を押圧したとき、フォーク１０の先端とスプーン２０の先端とが最も適する狭持機能の位置関係にズレが生ずるため、フォーク１０の柄部の表裏両面とスプーン２０の柄部裏面とを押圧したとき、挟む及び潰す機能が最も適する部位に突起群又は凹部を設けることとした。
【考案の効果】
【０００６】これによりフォーク１０とスプーン２０の表同士を組み合わせることによって挟み具として、また、フォーク１０の裏とスプーン２０の表を組み合わせることによって潰し具とすることができる。【０００７】そして、前記フォーク１０と前記スプーン２０を結合し組み合わせ、フォーク１０及びスプーン２０の各柄部の異なった部位に挟み及び潰す押圧動作をしたとき、フォーク１０の先端とスプーン２０の先端との間の位置関係にズレが生ずるので、フォーク１０の柄部の表裏両面とスプーン２０の柄部裏面とを押圧したとき、挟む及び潰す機能が最も適する部位に突起群又は凹部を設けることでズレを防ぐことができる。
【図面の簡単な説明】
【０００８】
【図１】フォーク１０及びスプーン２０の一部側面図である。
【図２】フォーク１０の平面図である。
【図３】スプーンの２０側面図である。
【図４】フォーク１０スプーン２０による組み合わせ食事用具を示す側面図である。
【図５】フォーク１０スプーン２０による組み合わせ食事用具を示す側面図である。
【考案を実施するための形態】
【０００９】フォーク１０及びスプーン２０の食事用具は合成樹脂やステンレス鋼板を使用して、フォーク１０とスプーン２０は夫々柄部の一部に弾力性を持たせることによりトング（狭持機能）の役目を果たすことができる。
【００１０】図１は、フォーク１０の後端１Ｂとスプーン２０の四角柱２Ｂと四角柱２Ｃからなる後端を示した図であり、図４、図５はフォーク１０とスプーン２０を結合した組み合わせ食事用具を示した図であるが、図４は、フォーク１０とスプーン２０の夫々の柄部にある突起群又は凹部を押圧して、フォーク１０とスプーン２０の先端が最適な狭持機能となるようにし、図５は、フォーク１０とスプーン２０の夫々の柄部にある突起群又は凹部を押圧したとき、フォーク１０の裏面がスプーン２０の掬い部に重なるようにする。
【符号の説明】
【００１１】１０  フォーク
１Ａ  フォーク柄部
１Ｂ  後端
１Ｃ  貫通孔
２０  スプーン
２Ａ  スプーン柄部
２Ｂ  四角柱１
２Ｃ  四角柱２
２Ｄ  突起群
【図１】
0003152055.tif 000003
【図２】
0003152055.tif 000004
【図３】
0003152055.tif 000005
【図４】
0003152055.tif 000006
【図５】
0003152055.tif 000007
(57)【要約】      （修正有）【課題】納骨容易な墓石構造を提供する。【解決手段】墓石本体前面に芝石１と台石３および供物台用の上板６を有する墓石において、芝石および台石に対する上板の所定範囲内での水平移動手段を設けたことを特徴とする。台石に対して上板を水平移動可能に設けたので、納骨時において従来のような上板を台石から持ち上げて他の場所へ移動することなく、上板をスライドさせるだけで納骨することのできる墓石構造を実現できる。なお、上板の移動範囲制限構造を取り入れることにより、台石からの上板の脱落を防止することができる。【選択図】図１０
0003152052.tif 000002
【実用新案登録請求の範囲】
【請求項１】
墓石本体前面に芝石と台石および供物台用の上板を有する墓石において、芝石および台石に対する上板の所定範囲内での水平移動手段を設けたことを特徴とする墓石。
【請求項２】
水平移動手段を、台石上に刻設された溝内を上板下面に設けたローラーの転動によるものとした請求項１記載の墓石。
【請求項３】
台板上の溝を、一定幅一定深さの溝に加えて、溝両端近傍に一段深いローラー受け部を設けてなる請求項２記載の墓石。
【請求項４】
芝石中間部に空隙を設けるとともに、該空隙に段差を設け、一方、上板後端に膨大部を設け、この膨大部が前記空隙の段差に当接することにより、上板の抜け出しを防止するよう構成してなる請求項２又は３記載の墓石。
【考案の詳細な説明】
【技術分野】
【０００１】  この発明は、納骨を容易に行うことのできる構造を備えた墓石に関する。
【背景技術】
【０００２】  従来からの一般的な墓石は、その前面に供物台上板を有するが、納骨時にはこの供物台上板（以下、単に上板と称する）を持ち上げて他の場所へ移動させる手段が必要であり、本発明にて示すように、上板のスライド機能を備えた墓石は見あたらない。
【考案の開示】
【考案が解決しようとする課題】
【０００３】  既述のように、従来の墓石における納骨作業は重量物である石材の上板を移動しなければならず、石材の種類やサイズおよび形状によっては成人男性でも困難な場合がある。
また、作業時における石材の損傷やけが等も懸念される。宗旨・宗派によっては納骨儀式の際に、上板上面に骨箱、供物、仏具等を置いて墓前供養を行い、その後に納骨作業を行うため、上板上の物品を他の場所に移動させなければ納骨も困難である。
本案は、以上のような従来からの墓石構造に関わる課題を解決するために考案されたもので、上板のスライド機構を設けることにより、上板の他の場所への移動手段を要せず、容易に納骨を行うことのできる、新規かつ有用なる墓石構造を提供することを目的として開発されたものである。
【課題を解決するための手段】
【０００４】  課題を解決する手段として本案は以下の構成とした。
すなわち、墓石本体前面に芝石と台石および供物台用の上板を有する墓石において、芝石および台石に対する上板の所定範囲内での水平移動手段を設ける。本案は以上の構成よりなる墓石である。
【考案の効果】
【０００５】  本案によれば、台石に対して上板を水平移動可能に設けたので、納骨時において従来のような上板を台石から持ち上げて他の場所へ移動することなく、上板をスライドさせるだけで納骨することのできる有用なる墓石構造を提供することができる。なお、上板の移動範囲制限構造を取り入れることにより、台石からの上板の脱落を防止することができる。
【考案を実施するための最良の形態】
【０００６】  以下、本考案の実施形態について説明する。
図において、１は石材による略直方体形状の芝石で、その下方中間部は切除されて空隙２を有している。この空隙は図９にて示すように、後端から前方に向けて一定高さで切除されるが、前方に近い部分は円弧状に下降し、所定高さに至れば再びその高さのまま前端まで達するよう形成される。３は台石で、所定厚さの長方形石板を切除して形成される。
台石中央後端から前方に向かって一定幅に切除され、また、後方両側は各々切除されて段部が設けられる。さらに、図５のごとく後端から前方に向かう一定幅細長の溝４が刻設される。この溝の最前位置と最後位置近傍には一段深く所定長さに形成されるローラー受け部５が各々形成される。
６は上板で、略長方形状の石板後端を略円柱状に膨大形成したストッパー７を一体に設けたものである。また、この上板下面には四角状の凹部８が設けられ、この凹部適所にはさらに一段深く切除された部分が４個所設けられ、ここに市販の戸車状のローラー９がビス止めされる。以上の芝石と台石および上板は次のように組み合わされる。
まず、芝石の前面空隙内に、台石の後部が挿入され、台石段部は芝石前面に当接して位置が定まる。次に、その下面にローラーを取り付けた上板を、芝石後方から台石上面に乗せて挿入する。このとき、ローラー下部は溝内に位置し、転がりながら上板の移動がなされる。以上にて３つの石材が組み合わされて図１０のごとく墓石の他の石材に組み合わされ固定される。【０００７】  本案の使用に際しては、まず上板を図１および図８のように、台石の中央切除部を覆う位置にあることを確かめる。このとき、上板の前方ローラーはローラー受け部内に位置し、ストッパーは芝石空隙部内の円弧状部に当接している。従って上板がさらに前方に移動することはない。納骨時は、上板をゆっくり押すことにてローラーは台石の溝内を進行し、やがて図９のごとく後方のローラーがローラー受け部内に位置して、上板の最奥位置が定まり静止する。このとき、上板前方の一部分のみが芝石前方に突出し、台石の中央切除部と、この切除部下方の空隙が露出して、ここから納骨することができる。納骨後は、既述と逆の手順にて上板を初期位置へともどして作業完了となる。
以上、本案について記したが、本案は台石に対して上板を所定範囲内にて容易にスライドさせるところにその特徴を有し、従来のように上板を別場所に移動させることなく納骨できる利便性を有するものである。なお、既述の例は実施の一例であり、近似の他の構成としてもよい。以上のごとく本案によって納骨に便利なる墓石を提供することができる。
【図面の簡単な説明】
【０００８】
【図１】  本考案の要部平面図
【図２】  本考案の要部正面図
【図３】  本考案の要部左側面図
【図４】  本考案の芝石の拡大斜視図
【図５】  本考案の台石の拡大斜視図
【図６】  本考案の上板の拡大斜視図
【図７】  本考案の上板の拡大底面図
【図８】  本考案の要部斜視図
【図９】  本考案の上板移動機構説明図
【図１０】  本考案の使用状態図
【符号の説明】
【０００９】１  芝石
２  空隙
３  台石
４  溝
５  ローラー受け部
６  上板
７  ストッパー
８  凹部
９  ローラー
【図１】
0003152052.tif 000003
【図２】
0003152052.tif 000004
【図３】
0003152052.tif 000005
【図４】
0003152052.tif 000006
【図５】
0003152052.tif 000007
【図６】
0003152052.tif 000008
【図７】
0003152052.tif 000009
【図８】
0003152052.tif 000010
【図９】
0003152052.tif 000011
【図１０】
0003152052.tif 000012
(57)【要約】      （修正有）【課題】初等教育算数入門の際に算数教具として使用でき、位取りの理解が容易になる九珠そろばんを提供する。【解決手段】そろばんの「５」の数値を意味していた五珠を一つの玉ではなく、実際に５個の珠を使用しつつも、５個の珠を相互に固定し一つの集合体として扱う。さらに、そろばんの玉を裏表で色に変化をくわえることで視覚的な認識を容易にする。【選択図】図１
0003152058.tif 000002
【実用新案登録請求の範囲】
【請求項１】
「５」の数値を意味していた五珠を一つの玉ではなく、５個の玉を使用することにし、さらに前記５個の玉を相互に固定し一つの集合体として扱えることを特徴とする九珠そろばん。
【請求項２】
前記九珠そろばんのすべてのそろばんの珠を、その表裏が別の色になるように塗装したことを特徴とする請求項１記載の九珠そろばん。
1
【考案の詳細な説明】
【技術分野】
【０００１】
本考案は、初等教育算数入門の際、使用する算数教具である。仕切りが中央にあるタイプは、そろばん入門器具としても使える。
【背景技術】
【０００２】
従来、数を視覚で捉えられるようにするために、よく使われてきた算数教具としてのタイルがあるが、タイルを使用した場合、数をすべてがバラ（一珠）で表すことになり、枠や固定軸がなく、また、旧来のそろばんは五珠が一つしかなかった。
【考案の開示】
【考案が解決しようとする課題】
【０００３】
従来、数字そのものを目で見えるように明確な形にしたものがほとんどなかった。その結果、数に弱い子供は、「５」の数値を意味していた五珠に関して、１個の五珠から「５」の構成を考えるのが難しい。又、それを乗り越えたとしても、次は位取りの理解でつまずくことがある。
【課題を解決するための手段】
【０００４】
そろばんを早く計算するために使用する道具ではなく、数を理解するための道具として使用する。すなわち、目視しただけで、５とわかるように、いままで「５」の数値を意味していた五珠を一つの玉ではなく、実際に５個の玉を使用し（形状は珠でなくても、球・立方体・長方体などでも同じ）、それらをくっ付けてひとまとまりにする。さらに、よりシンプルな形として、中の梁がない場合は、裏表の色を変えて、数えた色とまだ数えていない色の区別をつける。
【考案の効果】
【０００５】
上述のように、５個の珠が目で見えることにより、算数の入門期の子供でも数を視覚でとらえられることができるようになり、計算がしやすくなる上、算数教材として使用されてきたタイルと異なり、そろばんとしての枠や固定軸があるため位取りの意味がよくわかるようになる。
【考案を実施するための最良の形態】
【０００６】
５個の珠（球・立方体・長方体など形状が異なっても同じ）を使用しつつも、５個の珠を相互に固定して一つの集合体として扱えるようにする。さらに、中の梁をはぶいた場合は、オセロゲームのようにそろばんの玉を裏表で色に変化をくわえることで視覚的に認識しやすい形態で表現する。 
【実施例】
【０００７】
以下、添付図面に従って一実施例を説明する。１は木材等適宜素材にて一体化形成されたそろばんの枠であり、２ａは通常のそろばんの珠の形態で各々独立して軸を上下に動かすことで「１」から「４」の数値を表し、２ｂは「５」の珠が一体となっており、芯を上下に動かすことで「５」の数値を表す。
【０００８】
例えば「１２５」という数値をこのそろばんで表す場合、そろばんの形態を使用するこ
とで、その枠や固定軸があるため「一、十、百」の位をとらえやすくなるので、百の桁の「１」と十の桁の「２」は２ａの珠を動かすことで珠の位置を視覚でとらえ、１の桁の「５」はその数値のボリュームを示す２ｂの珠を動かすことで５の珠一つで「５」を表す通常のそろばんと異なり、五つの珠を合体させた五つのかたまりとして示すことで視覚から数値の大きさを捉えることができる。
【０００９】
さらに、そろばんの珠の位置関係ではなく、視覚で数値を捉えるために、「１」から「４」の数値を表す２ｃの珠、「５」の数値を表すひとつのかたまりである珠２ｄの裏表を分けて色彩を施すことで、珠を回転させることにより、「１２５」の数値を示すことができる。その際にそろばんの梁３は、「１」から「４」を表す珠と「５」を表す珠を分ける役割があるが、オセロ型のそろばんでは梁３をはぶくことが可能である。
【００１０】
このような形態で、五つの珠の上に位を記入した上で、桁数は小学校１年で２桁〜３桁（普遍性が理解しにくいので３桁の方が望ましい）、２年以上は４桁。もっと大きい人には５桁以上とすることで、そろばん入門にもつながる。
【図面の簡単な説明】
【００１１】
【図１】本考案の九珠そろばんの実施例を示す正面図である。
【図２】本九珠そろばんの一部切欠断面図である。
【図３】本考案のオセロそろばんの実施例を示す正面図である。
【図４】本オセロそろばんの一部切欠断面図である。
【符号の説明】
【００１２】
１  そろばんの枠
２  珠
３  梁
【図１】
0003152058.tif 000003
【図２】
0003152058.tif 000004
【図３】
0003152058.tif 000005
【図４】
0003152058.tif 000006
(57)【要約】      （修正有）【課題】外部操作盤のスイッチとロック解除用ソレノイドの間に遅延回路を組み込むことで簡単な構造で安全性を高めた電気錠を提供する。【解決手段】外部操作盤スイッチ１は、１０の４乗の選択肢を想定し、独立４回路１０接点・１選択とするが、安全性の必要度により増減する。選択された暗証番号を外部操作盤により入力すると電源部５からソレノイド２が通電され、ロック機構が開錠される。その際、遅延回路４の作用により番号入力から開錠までに数秒のタイムラグを設け、侵入者が全選択肢試行する時間を大幅に延ばす事で、安全性を向上させる。遅延回路４の遅延の秒数は、安全性の確保と遅延による不便さの兼ね合いで決める。スイッチはＩＣを使用しても良い。【選択図】図１
0003152086.tif 000002
【実用新案登録請求の範囲】
【請求項１】
家屋の引き戸、ドア、書類入れなどの電気錠で、外部操作盤とロック機構のソレノイドの間に遅延回路を設け、施錠の安全性を向上させることを特徴とする電気錠。
【考案の詳細な説明】
【技術分野】
【０００１】
本考案は、ドア、引き戸、書類入れなどをロックする電気錠に関するものである。
【背景技術】
【０００２】
電気錠はその構造を複雑且つ高度化して侵入者からの安全性を向上させている。
【考案の開示】
【考案が解決しようとする課題】
【０００３】
ドア等の電気錠の基本構造は外部操作盤と、施錠装置としてソレノイドを使用してロックバーを出し入れするが、侵入者からの安全性向上のため通常複雑な構造である。操作盤を簡略にすると容易に開錠される。
【課題を解決するための手段】
【０００４】
上記の課題を解決するため、本考案は操作盤と開錠機構としてのソレノイドの配線の間に遅延回路を設け外部からの侵入に対する安全性の向上を図るものである。操作盤として独立４回路１０接点・1選択のスイッチを直列につなぐと１０の4乗＝１万の選択肢のあるスイッチになるが、これを外部操作盤のスイッチとすると比較的短時間で番号が解読され錠として安全性が低い。しかし例えば外部操作盤のスイッチがオンになってもロック解除用ソレノイドの作動を３秒間遅延させると全選択肢を試行するには１万×３秒＝３万秒（８時間強）以上必要とし４桁の選択肢（以下暗証番号という）を知るもの以外開錠はほぼ不可能になる。
【考案の効果】
【０００５】
上述のように、外部操作盤のスイッチとロック解除用ソレノイドの間に遅延回路を組み込むことで簡単な構造で侵入者からの安全性の高い錠となる。
【考案を実施するための最良の形態】
【０００６】
外部操作盤のスイッチは独立４回路１０接点・1選択とすると、外部操作盤のスイッチとロック解除用ソレノイドの間に遅延回路を組み込むことで、侵入者からの安全性の高い錠となる。
【実施例】
【０００７】
以下、添付図面に従って一実施例を説明する。１は外部操作盤のスイッチである。電気回路を明示するためスイッチは機械的接点を有するスイッチとして図示したが同機能のＩＣが通常使われる。またスイッチは図に示すように独立４回路１０接点・1選択を基本とするが安全性の必要度により増減する。２はロック機構のソレノイドでロックバーの出し入れを行う。３はロックバーである。４は遅延回路である。遅延の秒数は安全性の確保と遅延による不便さの兼ね合いで決める。５は電源部である。
【０００８】
選択された暗証番号を外部操作盤により入力すると電源部から通電され、ロック機構が開錠されることとなるが、その際遅延回路の作用により番号入力から開錠までに数秒のタイムラグがあると侵入者からの安全性が大幅に増す。図1の操作盤のスイッチは暗証番号として２００９を選択した一例を示したが無論使用者が選んだ4桁の番号を予め選択する。
【図面の簡単な説明】
【０００９】
【図１】本考案にかかる遅延回路付電気錠を示す回路図である。
【符号の説明】
【００１０】
１  外部操作盤のスイッチ
２  ロック機構のソレノイド
３  ロックバー
４  遅延回路
５  電源部
【図１】
0003152086.tif 000003